(57)【要約】【課題】鶏卵等の物品の破壊強度測定装置の較正にあたって、簡易な構成で、安価に、しかも耐久性の高い較正装置を提供すること。【解決手段】破壊強度測定装置の較正装置１は円筒形のケース１０の内部に、外部からの圧力に対して磁性体７と永久磁石５の引力により反圧力を作用させる反圧力部１３と、前記圧力を前記反圧力部に伝達し、前記圧力が磁性体７と永久磁石５の引力を超えたときに前記圧力によって蓄勢された反発力により磁性体７と永久磁石５を略瞬時に離反することで前記反圧力を急激に減少させる圧力伝達部１２を備えている。破壊強度測定装置の較正後、較正装置１は、磁性体７と永久磁石５の引力により自動的に較正前の初期の状態に回復する。【選択図】図９
2010216900.tif 000002
【特許請求の範囲】
【請求項１】
外部からの圧力に対して磁力により反圧力を作用させる反圧力部と、
前記圧力を前記反圧力部に伝達し、前記圧力が所定の値に達したときに前記反圧力を略瞬時に減少させる圧力伝達部を備えたことを特徴とする破壊強度測定装置の較正装置。
【請求項２】
前記圧力伝達部は、弾性体の反発力により前記反圧力を略瞬時に減少させることを特徴とする請求項１に記載の破壊強度測定装置の較正装置。
【請求項３】
前記圧力伝達部は、永久磁石の反発力により前記反圧力を略瞬時に減少させることを特徴とする請求項１に記載の破壊強度測定装置の較正装置。
【請求項４】
破壊強度測定装置の較正後、前記反圧力部の磁力により初期の状態に回復することを特徴とする請求項１から３のいずれかに記載の破壊強度測定装置の較正装置。
【発明の詳細な説明】
【技術分野】
【０００１】
本発明は、物品の破壊強度測定装置の較正装置、特に卵殻の強度測定装置の較正装置に関するものである。                  
【背景技術】
【０００２】
一般に、卵は、損傷しやすいので、卵を流通に置く場合も卵殻強度が一定の値を上回っていることが望ましい。そのため、生産者が卵を納入する際、卵の卵殻強度を検査することが多い。
また、親鶏の鶏舎における飼育環境の良否が卵殻強度に影響することがあるので、卵殻強度を測定することにより鶏舎の飼育環境の良否を判定することも可能である。たとえば、同じ日齢の親鶏が収容されている鶏舎Ａと鶏舎Ｂから搬出されるロットの卵を比較し、鶏舎Ａのロットの卵の方が所定値以下の卵殻強度の割合が高い場合、鶏舎Ａの飼育環境に何らかの問題があることが推測され、鶏舎Ａの飼育環境改善のための対策を講じることができる。
【０００３】
従来、このような卵殻強度を測定する方法としては、一般に、測定対象卵を、その長軸が鉛直方向となるように荷重計を備えた載置台に載せ、上方から鉛直方向の押圧力を作用させる押圧部を下降させ、当該測定対象卵の卵殻が弾性限界を超えて亀裂が入る瞬間の荷重を測定する方法が公知である。
【０００４】
また、特開Ｈ１０−６２３２５号公報で開示された卵殻強度計や本出願人が特開２００８−３０９７３９号公報で開示した卵殻強度測定装置も公知である。
【０００５】
ところで、卵殻強度の測定においては、その測定精度を維持するため、定期的に荷重計の較正を行う必要があるが、その較正方法としては、分銅等の既知の重りを利用することが一般的である。
【０００６】
その他、硬度計用較正装置としては、特開Ｈ０８−１５９９４２号公報で開示された硬度計用較正装置が公知である（特許文献１）。
【先行技術文献】
【特許文献】
【０００７】
【特許文献１】特開Ｈ０８−１５９９４２号公報
【発明の概要】
【発明が解決しようとする課題】
【０００８】
前述した方法のうち、前記分銅等の既知の重りを利用する較正方法においては、測定装置内部の荷重計自体をチェックすることは可能である。しかし、そもそも、破壊強度測定装置は、物品の破壊に至る過程の最大荷重を測定するものであり、その荷重は加圧とともに徐々に増加し、破壊点で急激に減少するので、前記分銅等の既知の重りを利用する較正方法では、前記の急激な荷重変化の測定をチェックする較正方法としては必ずしも適切ではない。
【０００９】
また、前記分銅等の既知の重りを利用する方法は、構成上、荷重受け部に分銅を載置できない特開Ｈ１０−６２３２５号公報に開示された卵殻強度計や特開２００８−３０９７３９号公報に開示された卵殻強度測定装置においては用いることができない。
【００１０】
さらに、特許文献１に記載された硬度計用較正装置では、受圧面３１に加えられた圧力が圧力伝達機構４により節度機構２に伝達され、伝達された圧力が所定圧力に達したならば、ボールプランジャ６のボール６４とボール受け８との係合が解除されてボール受け８がボール６４と離反する構成となっている。そのため、この装置では、度重なる係合解除の過程でボール受け８が摩耗するおそれがあり、かかる装置を較正装置として用いることにも問題がある。  
【００１１】
本発明は、前記問題点を解決することを課題としてなされたものであり、その目的とするところは、破壊強度測定装置の較正にあたって、簡易な構成で、安価に、しかも耐久性の高い較正装置を提供することにある。
【課題を解決するための手段】
【００１２】
本発明は、上記目的を、外部からの圧力に対して磁力により反圧力を作用させる反圧力部と、前記圧力を前記反圧力部に伝達し、前記圧力が所定の値に達したときに前記反圧力を略瞬時に減少させる圧力伝達部を備えたことを特徴とする破壊強度測定装置の較正装置により達成する。
【００１３】
前記圧力伝達部は、弾性体の反発力により前記反圧力を略瞬時に減少させるようにしてもよい。
【００１４】
前記圧力伝達部は、永久磁石の反発力により前記反圧力を略瞬時に減少させるようにしてもよい。
【００１５】
さらに、本発明では、破壊強度測定装置の較正後、前記反圧力部の磁力により初期の状態に回復することができる。
【発明の効果】
【００１６】
以上の説明から明らかなように、本発明では、破壊強度測定装置の較正にあたって、簡易な構成で、安価に、しかも耐久性の高い較正装置を提供することができる。
【図面の簡単な説明】
【００１７】
【図１】本発明に係る較正装置本体の一実施例を示す断面図である。
【図２】図１に示す較正装置本体のケースを除いた内部構造を示す側面図である。
【図３】本発明に係る較正装置本体の別の構成を示す断面図である。
【図４】本発明に係る較正装置本体のさらに別の構成を示す断面図である。
【図５】図２に示す内部構造がケースに収められた状態を示す側面図である。
【図６】図５に示す較正装置の受圧部にＸ方向から圧力を加えた状態を示す側面図である。
【図７】図６に示す較正装置の受圧部にＸ方向からさらに圧力を加えた状態を示す側面図である。
【図８】本発明の較正装置により破壊強度測定装置の較正を行っている状態を示す側面図である。
【図９】本発明に係る較正装置本体の別の実施例を示す断面図である。
【図１０】鶏卵の卵殻強度測定を行っている状態を示す参考図である。
【発明を実施するための形態】
【００１８】
以下、本発明の一実施例について、図面を参照して説明する。
【実施例１】
【００１９】
図１ないし図１０に示すように、較正装置１は、鶏卵等の物品に圧力を加え、当該物品
が圧力により破壊される直前の強度を測定する破壊強度測定装置の較正に用いられる。
【００２０】
図１および図２に示すように、較正装置１は、円筒形のケース１０の内部に受圧部２と圧力伝達部１２と反圧力部１３を備える。
【００２１】
受圧部２は、外部からの圧力を受ける面とは反対側に棒状部分Ｓを有している。棒状部分Ｓには、圧力伝達部１２と反圧力部１３と衝撃緩衝部材６が回動可能に取り付けられ、棒状部分Ｓの先端にはナット９が係合されている。
【００２２】
圧力伝達部１２は、受圧部２に加えられた圧力で圧縮され反発力が蓄勢される弾性体３と、当該反発力を反圧力部１３に伝える反発力伝達部材４により構成されている。
【００２３】
反圧力部１３は、ブッシュ１１により円筒形のケース１０内に固定される磁性体７と、磁性体７との間に引力を生じさせる永久磁石５と、磁性体７と永久磁石５の間に生じる引力を調整する引力調整部材８により構成されている。反圧力部１３を構成する磁性体７と永久磁石５の替わりに、２つの永久磁石を違う極が向かい合うように配置して永久磁石同士の間に引力を生じさせるようにしてもよい。
【００２４】
衝撃緩衝部材６は、永久磁石５がナット９と直接接触しないようにして永久磁石５の破損を防止する。衝撃緩衝部材６の材質は合成樹脂を例として用いているが、金属などであってもよい。
【００２５】
外部から受圧部２に圧力が加えられると、圧力伝達部１２の弾性体３は圧縮され、当該圧力を反発力として弾性体３に蓄勢する。弾性体３に蓄勢された当該反発力は反発力伝達部材４を介して反圧力部１３の永久磁石５に伝えられる。
【００２６】
永久磁石５に伝えられる反発力は磁性体７から永久磁石５を離反させる方向に作用するが、当該反発力が磁性体７と永久磁石５の間に生じる引力を超えない範囲にあるときは磁性体７と永久磁石５は離反されない。このとき、反圧力部１３は、当該反発力と同等の反圧力を生じる。
【００２７】
圧力伝達部１２を構成する弾性体３に蓄勢された反発力が磁性体７と永久磁石５の間に生じる引力を超えると、当該反発力により磁性体７から永久磁石５が略瞬時に離反される。このとき、反圧力部１３の生じる反圧力は急激に減少する。
【００２８】
圧力伝達部１２を構成する弾性体３は、コイルバネを例として用いているが、コイルバネの他に弾性ゴムや空気バネなどを用いて反発力を蓄勢し、反発力伝達部材４を介して反圧力部１３の永久磁石５に伝えるようにしてもよい。
【００２９】
また、図３に示すように、弾性体３の替わりに永久磁石５ａと永久磁石５ｂを同じ極が向かい合うように配置して永久磁石同士の反発力を蓄勢し、反発力伝達部材４を介して反圧力部１３の永久磁石５に伝えるようにしてもよい。
【００３０】
さらに、図４に示すように、永久磁石５ｃと永久磁石５を同じ極が向かい合うように配置して永久磁石同士の反発力を蓄勢し、当該反発力が反圧力部１３の永久磁石５に直接作用するようにしてもよい。
【００３１】
永久磁石５、５ａ、５ｂ、５ｃは、ネオジム磁石を例として用いているが、ネオジム磁石の他にフェライト磁石などを用いてもよい。
【００３２】
次に、破壊強度測定装置の較正時における較正装置１の動作を図５ないし図８を用いて説明する。
【００３３】
図５は、受圧部２に対して、外部より圧力が加えられていない初期の状態の較正装置１の内部構造を示す側面図である。Ｌ１は反発力が蓄勢されていない弾性体３の長さを示す。
【００３４】
図６は、受圧部２に対してＸ方向から圧力が加えられている較正装置１の内部構造を示す側面図である。Ｌ２はＸ方向からの圧力により圧縮され反発力が蓄勢されている弾性体３の長さを示す。
【００３５】
このとき、弾性体３に蓄勢された反発力は磁性体７と永久磁石５の間に生じる引力を超えない範囲にあり、磁性体７と永久磁石５は離反されていないので、反圧力部１３は弾性体３に蓄勢された反発力と同等の反圧力を生じる。
【００３６】
Ｇ１は、受圧部２が外部からの圧力によって押し込まれたことによりナット９と衝撃緩衝部材６との間に生じた間隔を示す。
【００３７】
図７は、受圧部２に対してさらにＸ方向から圧力が加えられ、弾性体３に蓄勢された反発力が、磁性体７と永久磁石５の間に生じる引力を超えた直後の較正装置１の内部構造を示す側面図である。Ｌ３は磁性体７と永久磁石５を離反した直後の弾性体３の長さを示す。
【００３８】
このとき、当該反発力により磁性体７から永久磁石５が略瞬時に離反されており、反圧力部１３が生じる反圧力は急激に減少している。
【００３９】
Ｇ２は、弾性体３に蓄勢された反発力によって磁性体７から永久磁石５をＸ方向に離反したことにより磁性体７と永久磁石５との間に生じた間隔を示す。
【００４０】
磁性体７と永久磁石５が離反した後、受圧部２に加えられている圧力を取り除くことにより磁性体７と永久磁石５の間に働く引力で較正装置１は自動的に図５に示す初期の状態に回復する。
【００４１】
図８は、破壊強度測定装置の較正を行っている状態を示す図である。較正装置１は、測定台１５の上に略水平に載置される。荷重受け部１７は、破壊強度測定装置に固定されている。加圧アーム１６は、測定が開始されるとＸ方向に移動して荷重受け部１７との間で較正装置１を加圧する。
【００４２】
加圧アーム１６の圧力が所定の値を超えると反圧力が急激に減少するため、鶏卵などの物品に圧力が加えられ、当該物品の弾性限界を超えて亀裂が入る瞬間の状態を再現できる。
【００４３】
ここで、所定の値とは、磁性体７から永久磁石５をＸ方向に離反させるために必要な圧力を指す。所定の値は永久磁石５の種類や引力調整部材８の厚みを変えることで調整するとこができ、その値は破壊強度測定装置の較正を行うときの基準値となる。
【００４４】
破壊強度測定装置で較正装置１の破壊強度を測定し、破壊強度測定装置に表示される値が当該基準値からの許容範囲内であれば、破壊強度測定装置は正常に作動しているとみなすことができる。
【００４５】
測定台１５には測定対象物品を略水平に固定するための窪みが設けられている。較正装置１のケース１０には当該窪みに対して較正装置１を略水平に保つための段差１４が設けられている。
【００４６】
また、段差１４の替わりにケース１０の形状を測定対象物品と同じ形状にすることにより、較正装置１を略水平に保つこともできる。例えば、測定対象物品が鶏卵であればケース１０を鶏卵の形状にすればよい。
【実施例２】
【００４７】
以下、本発明の別の実施例について、図面を参照して説明する。
【００４８】
図９に示すように、実施例２に係る較正装置１は、円筒形のケース１０の内部に圧力伝達部１２と反圧力部１３を備える。
【００４９】
圧力伝達部１２は、Ｘ方向から加えられた圧力で圧縮され反発力が蓄勢される。
【００５０】
反圧力部１３は、円筒形のケース１０内に固定されている磁性体７と、磁性体７との間に引力を生じさせる永久磁石５より構成されている。反圧力部１３を構成する磁性体７と永久磁石５の替わりに、２つの永久磁石を違う極が向かい合うように配置して永久磁石同士の間に引力を生じさせるようにしてもよい。
【００５１】
外部から圧力伝達部１２に圧力が加えられると、圧力伝達部１２は圧縮され、当該圧力を反発力として蓄勢する。当該反発力は反圧力部１３の永久磁石５に伝えられる。
【００５２】
永久磁石５に伝えられる反発力は磁性体７から永久磁石５を離反させる方向に作用するが、当該反発力が磁性体７と永久磁石５の間に生じる引力を超えない範囲にあるときは磁性体７と永久磁石５は離反されない。このとき、反圧力部１３は、当該反発力と同等の反圧力を生じる。
【００５３】
圧力伝達部１２に蓄勢された反発力が磁性体７と永久磁石５の間に生じる引力を超えると、当該反発力により磁性体７から永久磁石５が略瞬時に離反される。このとき、反圧力部１３の生じる反圧力は急激に減少する。
【００５４】
圧力伝達部１２は、弾性ゴムを例として用いているが、弾性ゴムの他にコイルバネや空気バネなどを用いて反発力を蓄勢し、当該反発力を反圧力部１３の永久磁石５に伝えるようにしてもよい。
【００５５】
また、永久磁石５と同じ極が向かい合うように別の永久磁石を配置して永久磁石同士の反発力を蓄勢し、当該反発力が反圧力部１３の永久磁石５に直接作用するようにしてもよい。
【００５６】
図１０は、破壊強度測定装置が鶏卵Ｅの卵殻強度測定を行っている状態を示す図である。鶏卵Ｅは、測定台１５の上に略水平に載置される。荷重受け部１７は、破壊強度測定装置に固定されている。加圧アーム１６は、測定が開始されるとＸ方向に移動して荷重受け部１７との間で鶏卵Ｅを加圧する。
【００５７】
加圧アーム１６の圧力が鶏卵Ｅの弾性限界を超えると卵殻に亀裂が入り、反圧力が急激に減少するため、反圧力が減少する直前の加圧アーム１６の圧力を鶏卵Ｅの卵殻強度とすることができる。
【００５８】
なお、本発明の実施例に記載された効果は、本発明から生じる最も好適な効果を列挙したに過ぎず、本発明による効果は、本発明の実施例に記載されたものに限定されるものではない。
【符号の説明】
【００５９】
１    較正装置
２    受圧部
３    弾性体
４    反発力伝達部材
５    永久磁石
６    衝撃緩衝部材
７    磁性体
８    引力調整部材
９    ナット
１０  ケース
１１  ブッシュ
１２  圧力伝達部
１３  反圧力部
１４  段差
【図１】
2010216900.tif 000003
【図２】
2010216900.tif 000004
【図３】
2010216900.tif 000005
【図４】
2010216900.tif 000006
【図５】
2010216900.tif 000007
【図６】
2010216900.tif 000008
【図７】
2010216900.tif 000009
【図８】
2010216900.tif 000010
【図９】
2010216900.tif 000011
【図１０】
2010216900.tif 000012